(57)【要約】【課題】  テレビ受像機の液晶画面に映し出されるＤＶＤによる水棲生物の映像を、生き生きと鑑賞させる水棲生物映像観賞装置と、該装置に用いられる透視用水槽とを提供すること。【解決手段】  テレビ受像機２の液晶画面３の前面に透視用水槽４が添設され、そして該透視用水槽４が水中に供給された空気の泡２３を発生して成るものである。  また、透視用水槽４は、偏平な直方体状で上部に開口部７を設け、前後面の同一位相に透明部を設け、周部に接合手段を設けた水槽本体１１と、前記開口部７において通気路１９を配設して被蓋される開閉蓋１３と、水槽本体１１の内周に添設され、周面に多数の空気吐出孔１５を開口した空気吐出管１６と、空気吐出管１６に接続される空気供給管１７と、空気供給管１７に空気を圧送するエアーポンプ１８とから成る。【選択図】  図１
2005252530.tif 000002
【特許請求の範囲】
【請求項１】
テレビ受像機の液晶画面と、該液晶画面に水棲生物を撮像するＤＶＤとから成る映像表示手段において、
前記液晶画面の前面に、透視用水槽が添設されて成る水棲生物映像観賞装置。
【請求項２】
前記透視用水槽が、水中に供給された空気の泡を発生して成る請求項１記載の水棲生物映像観賞装置。
【請求項３】
浅い奥行きの偏平な直方体状で上部に開口部を設け、前後面の同一位相に透明部を設け、周部に接合手段を設けた水槽本体と、前記開口部において通気路を配設して被蓋される開閉蓋と、前記水槽本体の内周に添設され周面に多数の空気吐出孔を開口した空気吐出管と、該空気吐出管に接続される空気供給管と、該空気供給管に空気を圧送するエアーポンプとから成り、テレビ受像機の液晶画面の前面に添設されることを特徴とする透視用水槽。
【発明の詳細な説明】
【技術分野】
【０００１】
本発明は、観賞用水槽と、ＤＶＤによる水棲生物の撮像装置との組合わせ技術に関する。
【背景技術】
【０００２】
従来から熱帯魚などの観賞魚を入れた水槽に空気を供給した観賞用水槽や、大型の液晶画面にＤＶＤによる水棲生物を映し出す撮像装置は提供されているが、前者の観賞用水槽では水槽の水質や温度管理、観賞魚の餌代などの経済的負担があり、後者の装置では映像そのものという感じで本物の水棲生物が存在している雰囲気を出せなかった。
【発明の開示】
【発明が解決しようとする課題】
【０００３】
本発明は上記に対してテレビ受像機の液晶画面に映し出されるＤＶＤによる水棲生物の映像を生き生きと鑑賞させる水棲生物映像観賞装置と、該装置に用いられる透視用水槽とを提供するものである。
【課題を解決するための手段】
【０００４】
請求項１に記載した水棲生物映像観賞装置は、テレビ受像機の液晶画面と、該液晶画面に水棲生物を撮像するＤＶＤとから成る映像表示手段において、
前記液晶画面の前面に透視用水槽が添設されて成る。
請求項２に記載した水棲生物映像観賞装置は、請求項１に記載した水棲生物映像観賞装置において、
前記透視用水槽に水中に供給された空気の泡を発生させて成る。
請求項３に記載した透視用水槽は、浅い奥行きの偏平な直方体状で上部に開口部を設け、前後面の同一位相に透明部を設け、周部に接合手段を設けた水槽本体と、前記開口部に通気路を配設して被蓋される開閉蓋と、前記水槽本体の内周に添設され周面に多数の空気吐出孔を開口した空気吐出管と、該空気吐出管に接続される空気供給管と、該空気供給管に空気を圧送するエアーポンプとから成る。
【発明の効果】
【０００５】
本発明によれば、ＤＶＤによる液晶画面に映し出される水棲生物が、水槽の中に生存しているように観る者を楽しませる効果があり、このことはＤＶＤに関連する映像機器及び水槽製造業界に活性化を与えるものである。
【発明を実施するための最良の形態】
【０００６】
水槽本体の周部に設ける接合手段は、上部に設けるフック状の掛け金や、後面外周の所要個所にビス孔を開口したフランジなどで、前者の掛け金はテレビ受像機などの頂部に水槽本体を垂下させるために、後者のフランジは壁面に埋め込まれた大型の液晶画面の前面で該壁面に水槽本体をビス止めするために設けられる。水槽本体の開口部に被蓋される開閉蓋はビス止めによる開閉自在なものから、蝶番による開閉自在なものがある。開口部における通気路とは、開口部と開閉蓋との間に設ける隙間であったり、開閉蓋自体に開口する小孔などである。水槽本体の前後面の同一位相に設ける透明部は、ガラス板や合成樹脂板などの透明な材質によって形成され、全面であったり、部分的なものが選択される。水槽本体の内周に添設される空気吐出管は、底面などの局部的に設けられるものや四周に渡って設けられ、手動の切換えバルブで選択的に空気の泡の吐出する個所を変えたり、自動的にバルブの空気通路を変えて各周に対応する空気吐出管から空気の泡を発生させるなどである。
【実施例】
【０００７】
本発明を実施例により説明すると、水棲生物映像観賞装置Ａは、図１、図２に示すように、ビデオプレーヤー１に載置されたテレビ受像機２の液晶画面３の前面には透視用水槽４が添設され、ビデオプレーヤー１のトレイ５にはＤＶＤ（図外）が挿入される。一方、透視用水槽４は、図３に示すように、浅い奥行きの偏平な直方体状で、上部には内部空間６に連通する開口部７を設け、前後面には図４に示すように、液晶画面３に対応して面積が狭い透明なガラス板８が接着剤で前板９と後板１０に接着されてなる水槽本体１１と、開口部７に蝶番１２で開閉自在に被蓋される開閉蓋１３と、その左右の上板にビス止めされるフック状の掛け金１４と、水槽本体１１の底面に添設され周部上面に多数の空気吐出孔１５を開口した空気吐出管１６と、空気吐出管１６に接続される空気供給管１７と、空気供給管１７に空気を供給するエアーポンプ１８とから成る。そして、その中央部に開閉用の取手２４を設けた開閉蓋１３と開口部７との間には隙間をとって通気路１９を形成し、空気吐出管１６に開口される空気吐出孔１５は中央部に疎らで、両端部に多く開口される。さらに、空気吐出管１６は水槽本体１１の底面のみならず、図１に仮想線で示す左右内面及び上部にも配設され、これらの各空気吐出管１６には仮想線で示す切換えバルブ２０が設けられ（各空気吐出管１６に接続した各個の空気供給管（図外）にバルブ２０を設けてもよい。）、空気の吐出個所を選択的に制御することもできる。切換えバルブ２０は手動切換えや自動切換えが選される。水中には金属粉や光反射材や色彩を帯びた粒子を混入して湧水状況を演出したり、水に着色して映像に合った雰囲気をフィルター効果を介して演出するくふうも施される。
【０００８】
上記から成る水棲生物映像観賞装置Ａは、図２に示すように，テレビ受像機２の頂部２１に掛け金１４で掛け着け、液晶画面３の前面にその内部空間６に水が張られた透視用水槽４が垂下される。そして、ＤＶＤにより液晶画面３に水棲生物、例えば熱帯魚２２や水棲昆虫、水棲植物などの映像が映し出されると、エアーポンプ１８から送気が空気供給管１７を経て水槽本体１１内底面の空気吐出管１６の空気吐出孔１５から泡２３となって立ち上がり、ＤＶＤによる液晶画面中の水棲生物の映像が水槽本体１１の水中にあるように生き生きと表現され、観る者の目を水中に誘い楽しませる。
【産業上の利用可能性】
【０００９】
本発明は、ＤＶＤ及びＤＶＤを再生する映像機器業界を活性化するとともに、水槽の製造分野をも刺激する。水族館でも実際に飼育されていない水棲生物を映像で紹介することができる。
【図面の簡単な説明】
【００１０】
【図１】本発明の水棲生物映像観賞装置Ａの正面図。
【図２】図１の右側面図。
【図３】本発明の透視用水槽４の一部を省略した斜視図。
【図４】図３のＡ−Ａ矢視部分拡大断面図。
【符号の説明】
【００１１】
１：ビデオプレーヤー
２：テレビ受像機
３：液晶画面
４：透視用水槽
５：トレイ
６：内部空間
７：開口部
８：ガラス板
９：前板
１０：後板
１１：水槽本体
１２：蝶番
１３：開閉蓋
１４：掛け金
１５：空気吐出孔
１６：空気吐出管
１７：空気供給管
１８：エアーポンプ
１９：通気路
２０：切換えバルブ
２１：頂部
２２：熱帯魚
２３：泡
２４：取手
Ａ：水棲生物映像観賞装置
【図１】
2005252530.tif 000003
【図２】
2005252530.tif 000004
【図３】
2005252530.tif 000005
【図４】
2005252530.tif 000006
【手続補正書】
【提出日】平成16年3月24日(2004.3.24)
【手続補正１】
【補正対象書類名】特許請求の範囲
【補正対象項目名】全文
【補正方法】変更
【補正の内容】
【特許請求の範囲】
【請求項１】
テレビ受像機の液晶画面と、該液晶画面に水棲生物を撮像するＤＶＤとから成る映像表示手段において、  前記液晶画面に、気泡を発生させる装置を付設した透視用水槽を着脱自在に添設して成る水棲生物映像観賞装置。
【請求項２】
浅い奥行きの偏平な直方体状で上部に開口部を設け、前後面の同一位相に透明部を設け、周部に接合手段を設けた水槽本体と、前記開口部において通気路を配設して被蓋される開閉蓋と、前記水槽本体に内周に添設され周面に多数の空気吐出孔を開口した空気吐出管と、該空気吐出管に接続される空気供給管と、該空気供給管に空気を圧送するエアーポンプとから成り、テレビ受像機の液晶画面の前面に添設されることを特徴とする透視用水槽。
【手続補正２】
【補正対象書類名】明細書
【補正対象項目名】０００４
【補正方法】変更
【補正の内容】
【０００４】  請求項１に記載した水棲生物映像観賞装置は、テレビ受像機の液晶画面と、該液晶画面に水棲生物を撮像するＤＶＤとから成る映像表示手段において、液晶画面に、気泡発生装置を付設した透視用の水槽を着脱自在に添設して成る。  請求項２に記載した透視用水槽は、浅い奥行きの偏平な直方体状で上部に開口部を設け、前後面の同一位相に透明部を設け、周部に接合手段を設けた水槽本体と、前記開口部に通気路を配設して被蓋される開閉蓋と、前記水槽本体に内周に添設され周面に多数の空気吐出孔を開口した空気吐出管と、該空気吐出管に接続される空気供給管と、該空気供給管に空気を圧送するエアーポンプとから成る。
【手続補正３】
【補正対象書類名】明細書
【補正対象項目名】０００５
【補正方法】変更
【補正の内容】
【０００５】  本発明によれば、ＤＶＤによる液晶画面に映し出される水棲生物が、水槽の中に生存しているように観るものを楽しませるほかに、透視用水槽は掛け金等で着脱自在であること及び掛け着けて液晶面への傷付けを防護する効果がある。